(57)【要約】【課題】  投票記載台の後ろ側の脚支柱と床面との間に、下端部が床面に支承されると共に上端部に脚柱固定金具を有する転倒防止部材を取付けることにより、借用した投票所の床面を損傷することなく、且つ投票用紙への記載時の揺れや転倒と云う不安定な状態の無い安定した投票記載台の転倒防止装置の提供。【解決手段】  投票記載台の転倒防止装置は、互いの一端が枢支された断面コ字状の転倒防止用上フレームと断面コ字状の転倒防止用下フレームとで構成され、転倒防止用上フレームの他端には投票記載台の後方の脚支柱を挟押圧する脚柱固定金具を設け、転倒防止用下フレームの他端には、転倒防止用下フレームの後壁と転倒防止用下フレームのコ字状の開口溝に設けた脚位置決め金具とで投票記載台の前方脚支柱の嵌込部を形成し、該転倒防止用下フレームの下面側には、防滑・防傷シートが貼着されている。【選択図】図７
2007301273.tif 000002
【特許請求の範囲】
【請求項１】
記載用天板と、記載用天板の下面に設けた脚支柱と、記載用天板の上面の左右縁に設けた側板と、適宜間隔で記載用天板の上面に設けた所要数の仕切り板と、記載用天板の上面後縁に設けた背板とで構成されて展開組み立てられた投票記載台の後方の脚支柱に取付・取外自在の投票記載台の転倒防止装置であって、該転倒防止装置は、下端の防滑・防傷部材からなる接地部と共に上端に投票記載台の後方の脚支柱を挟押圧する脚柱固定金具とを設けた転倒防止部材であることを特徴とする投票記載台の転倒防止装置。
【請求項２】
記載用天板と、記載用天板の下面に設けた脚支柱と、記載用天板の上面の左右縁に設けた側板と、適宜間隔で記載用天板の上面に設けた所要数の仕切り板と、記載用天板の上面後縁に設けた背板とで構成されて展開組み立てられた投票記載台の後方の脚支柱に取付・取外自在の投票記載台の転倒防止装置であって、該転倒防止装置は、互いの一端が枢支された断面コ字状の転倒防止用上フレームと断面コ字状の転倒防止用下フレームとで構成され、転倒防止用上フレームの他端には投票記載台の後方の脚支柱を挟押圧する脚柱固定金具を設け、転倒防止用下フレームの他端には、転倒防止用下フレームの後壁と転倒防止用下フレームのコ字状の開口溝に設けた脚位置決め金具とで投票記載台の前方脚支柱の嵌込部を形成し、該転倒防止用下フレームの下面側には、防滑・防傷シートが貼着されていることを特徴とする投票記載台の転倒防止装置。
【請求項３】
記載用天板と、記載用天板の下面に設けた脚支柱と、記載用天板の上面の左右縁に設けた側板と、適宜間隔で記載用天板の上面に設けた所要数の仕切り板と、記載用天板の上面後縁に設けた背板とで構成されて展開組み立てられた投票記載台の後方の脚支柱に取付・取外自在の投票記載台の転倒防止装置であって、該転倒防止装置は、互いの一端が枢支された断面コ字状の転倒防止用上フレームと断面コ字状の転倒防止用下フレームとで構成され、転倒防止用上フレームの他端には投票記載台の後方の脚支柱を挟押圧する脚柱固定金具を設け、転倒防止用下フレームの他端には、転倒防止用下フレームの後壁と転倒防止用下フレームのコ字状の開口溝に設けた脚位置決め金具とで投票記載台の前方脚支柱の嵌込部を形成し、転倒防止用下フレームの後壁に、前記嵌込部に嵌込まれた脚支柱の下端を挟押圧する挟押圧具を設け、該転倒防止用下フレームの下面側には、防滑・防傷シートが貼着されていることを特徴とする投票記載台の転倒防止装置。
【発明の詳細な説明】
【技術分野】
【０００１】
本発明は、選挙の投票所などで使用される投票記載台の使用時の転倒防止をする投票記載台の転倒防止装置に関するものである。
【背景技術】
【０００２】
選挙の際、多くの投票所は、各自治体の選挙管理委員会が保育所、幼稚園や学校の教室や体育館、公共の施設などを投票所として借用し選挙の投票が行われている。投票人が投票の際に候補者名を記載する台として、投票用紙に記載する候補者氏名を隣の投票人や立会人などの他人から見えないようにして記載する選挙専用の台が投票記載台として選挙時に利用されている。各投票所毎の有権者数、投票所の大きさや規模により、一人用、二人用、三人用、四人用、車いす用等の種々タイプの投票記載台が種々組み合わされて使用されている。
【０００３】
教室等を借用して投票所とした場合、多くの投票所では投票記載台の背面を教室の壁面側に向けて設置され、教室の中央部付近には投票箱を設置し、投票記載台が設置された反対側の教室の壁側には投票立会人席が設けられたスタイルで選挙の投票所が開設されている。この投票記載台の背面を教室の壁面側に沿って設置する方式は、選挙の投票所などで使用される投票記載台は自治体が選挙を運営していく際、投票記載台設置の安全性を高める面からみても壁面に沿って設置することが一般的となっている。また設置に際して、投票人の記載内容を他人に見られることのないような配慮が必要であり、投票記載台を壁面側に沿って設置することにより、覗き込まれる前面からの方角を遮断できることも理由の一つとなっている。両隣の投票人からは投票記載台の側板や仕切り板で遮断されている。
【０００４】
教室が投票所となっている場合、教室は広いとは云え投票人の投票記載台に向かった後ろ側から投票用紙に記載の際の筆記具の動きから誰に投票したかを察知される（例えば、タテ線から書いたか、ヨコ線から書いたかなどの動きからの推測で）のではないかと云う危惧があると云う理由から、記載の際の筆記具の動きが察知されることがないようにと教室の中央部付近に投票記載台を設置したり、また、広い体育館などを利用した場合には、体育館の壁面側に沿って投票記載台を設置することはできないので、体育館の中央部に投票記載台を設置している。
【０００５】
選挙の投票所などで使用される投票記載台の使用頻度は余り高いものではないため、選挙などで使用されない間は、自治体の選挙管理委員会が、次の選挙まで倉庫などで保管格納しておく必要があり、保管の際にも保管嵩をできるだけ小さくして保管管理する必要性から、投票記載台は記載用天板と脚支柱、仕切り板、側板、背板をヒンジ機構の使用による折畳み式や組立て式とすることにより折畳み又は分解されてコンパクト化して保管格納され、選挙の度に展開して組み立てられて使用されている。また、投票所の設営時の労力を低減する点から、投票記載台はアルミなどの軽量金属製の部材が使用されている。各部材の組立・分解方式では、保管時や組立時に部材の散失の恐れがあることから、折畳み式によるものが多く使用されている。
【０００６】
このように選挙の投票時に使用されている投票記載台の構造として、一人用の投票記載台では、アルミなどの軽量金属製の下記のような部材、記載用天板の下面の左右側に設けた脚支柱と、該記載用天板の上面の左右縁に設けられた側板と、記載用天板の上面後縁には記載用天板幅で両側板と仕切り板に設けられた鉤部材で上縁が係止されて立設される背板とで構成されている。また、図１２に示す複数人用の投票記載台５０では、記載用天板５２の下面の左右側に設けた脚支柱５１、５１と、該記載用天板５０の上面の左右縁に設けられた側板５４、５４と、両側板５４、５４間に適宜間隔で記載用天板５２の上面に設けられた所要数の仕切り板５３、５３と、記載用天板５２の上面後縁には記載用天板幅で両側板５４、５４と仕切り板５３、５３に設けた鉤部材５８、５８、５８、５８で上縁が係止されて立設される背板５５と、記載用天板５２の下面と脚支柱５１の横杆５６との間を屈折支杆５７で脚支柱５１を折畳み・立設自在の構成となっている。
【０００７】
また通常、投票記載台は立った状態で投票用紙に記載することから構造上背丈も比較的高く、記載用天板５２の高さで９０〜９５ｃｍ、側板５４、仕切り板５３の上縁高は１３０〜１６０ｃｍ、記載用天板５０の奥行きは３５〜３６ｃｍの大きさである。車いす用の投票記載台では、記載面高さは７０ｃｍ前後のタイプのものも用意されている。他にも一部、椅子に座った状態で記載する投票記載台も用意されている（［非特許文献１］の記載参照）。
【０００８】
投票記載台５０を教室の壁面側に沿って設置している場合、通常、投票人は投票記載台５０の前に立った状態で投票用紙に記載しているが、この立った状態で投票用紙に記載する時、時には、後方から他人に見られているのではないかと云う危惧から投票記載台に覆い被さるような体勢から投票記載台に前方から後方に押すような力が掛かることになり、投票記載台５０は、投影平面積に比して背丈が高いことから投票記載台５０は不安定な状態となり、後方に転倒する恐れがある。
【０００９】
この教室の壁面側に沿って設置している場合、例え投票人が記載の際に投票記載台を前方に押しても、押された投票記載台５０の背面は教室等の壁面に支えられるので、転倒することはないが、教室や体育館の中央部に投票記載台を設置した場合には、投票記載台５０の脚支柱を床面に載置しただけで固定せずに設置しているだけなので転倒する恐れがある。このため投票記載台５０の設置の際に投票記載台５０の脚支柱５１の下端に幅広の張出し片を取付け、これをクギやネジで床面に仮止め固定することができれば、投票記載台５０が転倒するようなことを防ぐことは可能であるが、借用した学校の教室や体育館などを選挙の投票所として使用する場合には、投票所の設営の際に教室や体育館の床面にキズを付けることは不可である。
【００１０】
このため教室や体育館の中央部に投票記載台を設置した場合、現在の行われている投票記載台５０の転倒防止の対応策として、設置した投票記載台５０の後ろ側に、空き机などを置いて転倒しかけた投票記載台５０を支えることが、投票記載台５０の転倒に対する防止策となっている。
【００１１】
従来、地震時に背丈のある家具などの転倒防止手段として、いずれも図示されていないが、壁面に沿って配置されたタンスの底部前端部の下に新聞紙などを折り畳んで挟み込むことによりタンスの前方への転倒を防止したり、また、パイプ等の脚支柱から成る棚などの家具において、脚支柱の接地する脚部に接地面積を大きくすると共に重量のあるブーツ（脚受け具）を履かせることにより家具の重心を低くし安定化することで転倒を防止することなどが知られている。
【００１２】
また従来、図１３〜図１５に示す家具の転倒防止部材も知られている。図１３は、家具の底部６２に設けたベース部７１とネジ部７２とからなるアジャスタ６３でラック等の家具６０を床面に設置される家具が示されており、図１４、１５は、このラック等の家具６０を床面６１に固定することによりラック等の家具の転倒を防止するための固定金具６５を示している。
【００１３】
この固定金具６５は、板金素材を加工して一端側に位置する底壁６７と他端側に位置し開口溝７０を設けた頂壁６６との間を起立壁６８で連結してクランク状とし、起立壁６８の高さを異ならせた一組の固定金具６５、６５の頂壁６６の開口溝７０、７０間で、ラック等の家具の底部６２に設けたアジャスタ７１のネジ部７２を重合抱持すると共に、床面６１に接地する固定金具６５の底壁６７を該底壁６７に形成されたネジ孔６９に固定ネジ７３で固定金具６５を床面６１に固定することでラック等の家具６０を床面６１に固定することによりラック等の家具６０の転倒を防止するものである（［特許文献1］の記載参照）。
【特許文献１】特許第３６０３７０７号公報。
【非特許文献１】「選挙事務のお手伝い」、新選挙カタログ２００３〜２００４、株式会社  日本選挙センター、平成１４年１０月発行、第２０〜２３ページ。
【００１４】
上記図１３〜図１５に示す従来公知の転倒防止手段では、ラック等の家具の転倒を防止するために、ラック等の家具の底部に設けたアジャスタを固定金具で重合抱持すると共に、固定金具を床面に固定ネジで固定することになる。しかしながら、家具の転倒を防止するために床面にネジで固定することは、借用した投票会場である教室や体育館の床にキズを付けることになるために、投票記載台の有効な転倒防止策として採用することはできない。
【発明の開示】
【発明が解決しようとする課題】
【００１５】
そこで、本願発明の投票記載台の転倒防止装置は、投票記載台の後ろ側の脚支柱と床面との間に、下端部が床面に支承されると共に上端部に脚柱固定金具を有する転倒防止部材を取付けることにより、借用した投票所の床面を損傷することなく、且つ投票用紙への記載時の揺れや転倒と云う不安定な状態の無い安定した投票記載台の転倒防止装置を提供することを目的とするものである。
【課題を解決するための手段】
【００１６】
上記目的を達成するため、本発明の請求項１に記載の発明は、記載用天板と、記載用天板の下面に設けた脚支柱と、記載用天板の上面の左右縁に設けた側板と、適宜間隔で記載用天板の上面に設けた所要数の仕切り板と、記載用天板の上面後縁に設けた背板とで構成されて展開組み立てられた投票記載台の後方の脚支柱に取付・取外自在の投票記載台の転倒防止装置であって、該転倒防止装置は、下端の防滑・防傷部材からなる接地部と共に上端に投票記載台の後方の脚支柱を挟押圧する脚柱固定金具とを設けた転倒防止部材であることを特徴とするものである。
【００１７】
また、上記目的を達成するため、本発明の請求項２に記載の発明は、記載用天板と、記載用天板の下面に設けた脚支柱と、記載用天板の上面の左右縁に設けた側板と、適宜間隔で記載用天板の上面に設けた所要数の仕切り板と、記載用天板の上面後縁に設けた背板とで構成されて展開組み立てられた投票記載台の後方の脚支柱に取付・取外自在の投票記載台の転倒防止装置であって、該転倒防止装置は、互いの一端が枢支された断面コ字状の転倒防止用上フレームと断面コ字状の転倒防止用下フレームとで構成され、転倒防止用上フレームの他端には投票記載台の後方の脚支柱を挟押圧する脚柱固定金具を設け、転倒防止用下フレームの他端には、転倒防止用下フレームの後壁と転倒防止用下フレームのコ字状の開口溝に設けた脚位置決め金具とで投票記載台の前方脚支柱の嵌込部を形成し、該転倒防止用下フレームの下面側には、防滑・防傷シートが貼着されていることを特徴とするものである。
【００１８】
また、上記目的を達成するため、本発明の請求項３に記載の発明は、記載用天板と、記載用天板の下面に設けた脚支柱と、記載用天板の上面の左右縁に設けた側板と、適宜間隔で記載用天板の上面に設けた所要数の仕切り板と、記載用天板の上面後縁に設けた背板とで構成されて展開組み立てられた投票記載台の後方の脚支柱に取付・取外自在の投票記載台の転倒防止装置であって、該転倒防止装置は、互いの一端が枢支された断面コ字状の転倒防止用上フレームと断面コ字状の転倒防止用下フレームとで構成され、転倒防止用上フレームの他端には投票記載台の後方の脚支柱を挟押圧する脚柱固定金具を設け、転倒防止用下フレームの他端には、転倒防止用下フレームの後壁と転倒防止用下フレームのコ字状の開口溝に設けた脚位置決め金具とで投票記載台の前方脚支柱の嵌込部を形成し、転倒防止用下フレームの後壁に、前記嵌込部に嵌込まれた脚支柱の下端を挟押圧する挟押圧具を設け、該転倒防止用下フレームの下面側には、防滑・防傷シートが貼着されていることを特徴とするものである。
【発明の効果】
【００１９】
本発明の請求項１に記載の発明は、教室や体育館の中央部に展開組み立てられた投票記載台は、投影平面積に比して背丈が高いことから投票記載台は不安定で、後方に転倒する恐れがあるが、本願の［特許請求の項］の［請求項１］に記載の発明は、投票記載台の後方の脚支柱と床面との間に、投票記載台を支承する下端の防滑・防傷部材からなる接地部と共に上端に投票記載台の後方の脚支柱を挟押圧する脚柱固定金具とを設けた転倒防止部材を取付けることにより、例え、投票人が記載時に投票記載台を押すような力が作用しても、転倒防止部材によって投票記載台の転倒を防止することができる。また、床面に接地する転倒防止用フレームの下端接地部の接地片の下面には、防滑・防傷シートが貼着されているので、転倒防止用フレームの下端接地部が支承する床面にキズを付ける恐れはなく、また、滑ることなく確実に投票記載台を支承することができる。
【００２０】
また、本発明の請求項２に記載の発明は、転倒防止部材を投票記載台の脚支柱に取付ける際、この転倒防止部材は、互いに一端が枢支されているので投票記載台の脚支柱への取付けも、展開した転倒防止用下フレームの開口溝内に投票記載台の後方の脚支柱と前方の脚支柱を嵌込んで載せるだけの操作で良く、また、転倒防止部材の保管・収納時には、枢支部で折り畳むことにより保管嵩を小さくすることができる。床面に接地する転倒防止用下フレームの下面側に、防滑・防傷シートが貼着されているので、床面にキズを付けたり、また、滑ることなく確実に投票記載台を支承することができる。また、投票記載台の前方の脚支柱の下端は転倒防止用下フレームの開口溝の後壁と脚位置決め金具との間に嵌め込まれているので、転倒防止用下フレームの開口溝内を動くことなく位置決めすることができ、投票記載台はグラ付くことなく安定して設置することができる。
【００２１】
また、本発明の請求項３に記載の発明は、更に、投票記載台の前方の脚支柱の下端は転倒防止用下フレームの開口溝の後壁と脚位置決め金具との間に嵌込まれ、転倒防止用下フレームの後壁又は側壁に設けた挟押圧具で挟押圧するので、転倒防止用下フレームの開口溝内を動くことなく位置決めすることができ、例え、投票記載台１で記載の際に、投票記載台１に後方に押すような力が作用しても、投票記載台１の前方の脚支柱２の下端の持ち上がりを防止し投票記載台１はグラ付くことなく安定して設置することができる。
【発明を実施するための最良の形態】
【００２２】
教室や体育館の中央部に組立て設置された投票記載台の投票用紙への記載時の揺れや転倒と云う不安定な状態の無い安定した投票記載台を、投票記載台の後ろ側の脚支柱と床面との間に取り外し自在の転倒防止部材を取付けることで、投票記載台の投票用紙への記載時の揺れや転倒を防止することが実現した。
【００２３】
本発明の実施の態様を図１〜図１１によって説明する。図１は、本発明の第１実施例である投票記載台の転倒防止装置を付した投票記載台の側面図である。図２は、本発明の第１実施例である投票記載台の転倒防止装置を付した投票記載台の部分後面図である。図３は、本発明の投票記載台の転倒防止装置の脚柱固定金具の平面図である。図４は、本発明の投票記載台の変形例の転倒防止装置の脚柱固定金具の平面図である。図５は、本発明の投票記載台の他の変形例の転倒防止装置の脚柱固定金具の平面図である。図６は、本発明の投票記載台の転倒防止装置の脚柱固定金具の斜視図である。図７は、本発明の第２実施例である投票記載台の転倒防止装置を付した投票記載台の側面図である。図８は、本発明の第２実施例である投票記載台の転倒防止装置の使用時の側面図である。図９は、本発明の第２実施例である投票記載台の転倒防止装置の折畳み収納時の側面図である。図１０は、本発明の第２実施例である投票記載台の転倒防止装置の転倒防止用下フレームの部分斜視図である。図１１は、本発明の第３実施例である投票記載台の転倒防止装置の転倒防止用下フレームの部分斜視図である。
【実施例１】
【００２４】
図１の符号１は、選挙の投票所として借用した教室や体育館の中央部に展開組み立てられた投票記載台であり、図１２に示した複数人用の投票記載台５０と同様、複数人用の投票記載台１は、記載用天板４の下面の左右側に設けた前後の脚支柱２間に横杆３を設けた脚支柱２と、該記載用天板４の上面の左右縁にヒンジで折り畳み可能に設けた側板６と、両側板６、６間に適宜間隔で記載用天板４の上面にヒンジで折り畳み可能に設けた所要数の仕切り板と、記載用天板４の上面後縁にヒンジで折り畳み可能で、両側板６と仕切り板にピン軸８で設けた鉤部材９で上縁が係止されて立設される記載用天板の幅の背板５と、記載用天板４の下面と脚支柱２の横杆３との間を屈折支杆７で連結して脚支柱２を折畳み・立設自在の構成となっている。各部材はアルミなどの軽量金属素材からなっている。また通常、投票記載台１は立った状態で投票用紙に記載することから構造上背丈が比較的高く、記載用天板４の面の高さで９０〜９５ｃｍ、側板６や仕切り板の上縁高で１３０〜１６０ｃｍ、記載用天板４の奥行きは３５〜３６ｃｍの大きさである。
【００２５】
符号１０は、上端部の脚柱固定金具１２で投票記載台１の後方の脚支柱２に取付け・取外し自在に取付けられ、下端部は床面に接地支承される断面コ字状の転倒防止用フレームである。投票記載台１の後方の脚支柱２と転倒防止用フレーム１０との取付け角度は３０〜４５度で、床面と転倒防止用フレーム１０との角度は６０〜４５度であり、投票記載台１の後方の脚支柱２と転倒防止用フレーム１０との取付け角度は３０度で、床面と転倒防止用フレーム１０との角度は６０度であることが転倒防止の転倒防止用フレーム１０の取付け方として望ましい。符号１３は、転倒防止用フレーム１０上端部の脚柱固定金具１２を投票記載台１の後方の脚支柱２に取付け・取外しする際に操作するノブである。また、符号１１は、転倒防止用フレーム１０の下端部に設け、床面に転倒防止用フレーム１０の下端接地部が床面に接地した際に床面にキズが付くのを防ぎ、床面との滑りを防ぐための防滑・防傷シートである。
【００２６】
図３〜図５は、本願発明の転倒防止用フレーム１０の上端部に設けた脚柱固定金具１２の異なる形態を示しており、図３は、投票記載台１の脚支柱２の断面形状が四角形状脚支柱１８のパイプの場合の形態であり、図４は、投票記載台１の脚支柱２の断面形状が丸状脚支柱１９のパイプの場合の形態である。また、図５は、脚柱固定金具１２の先端壁に内側に折曲した突出片２０を設け、この内側に折曲した突出片２０によって投票記載台１の脚支柱２の断面形状が四角形状あるいは丸状脚支柱の両方に対応可能となっている。該脚柱固定金具１２は、断面が略コ字状で長さが５〜１０ｃｍ位の長さで、該脚柱固定金具１２の基部壁に設けたネジ孔に先端に投票記載台１の脚支柱２を押圧するゴム製または合成樹脂製の押さえ部１７を有し、後端にノブ１３を有するネジ部１６が螺合されている。
【００２７】
このノブ１３を回動することで、脚柱固定金具１２の先端壁と脚柱固定金具１２の基部壁に設けたゴム製または合成樹脂製の押さえ部１７とで投票記載台１の脚支柱２を挟押圧し、脚柱固定金具１２を投票記載台１の脚支柱２に取付けることが可能である。なお、脚柱固定金具１２の先端壁の内側にゴム製または合成樹脂製で板状の押さえ部材を貼着しておくと投票記載台１の脚支柱２の表面にキズ付けることなく、また、確実に転倒防止用フレーム１０を取付けることができる。
【００２８】
断面略コ字状で脚柱固定金具１２の中間壁の外側に背中合わせにして断面略コ字状の取付けフランジ１４を溶接、ビス止め等の取付手段により取付け、断面略コ字状の取付けフランジ１４の両側は山形状の取付け片２１、２１となっており、この両側の山形状の取付け片２１、２１のピン孔２２、２２に断面コ字状の転倒防止用フレーム１０の側面上端がピン１５、１５で取付けられている。転倒防止用フレーム１０の床面に接地する下端接地部は、投票記載台１の脚支柱２に取付けた転倒防止用フレーム１０と床面とのなす角度が略６０度となる角度に接地片が形成されており、この下端接地部の接地片の下面には、防滑・防傷シート１１が貼着されている。なお、この下端接地部の接地片を、転倒防止用フレーム１０の下部に枢支自在に取付けることも可能である。
【００２９】
また、転倒防止用フレーム１０の側面上端と取付けフランジ１４の取付け片２１はピン１５による取付けでなく、両者を溶接、ビス止め等の取付手段により取付けでもよい。前記取付けフランジ１４の山形状の取付け片２１と転倒防止用フレーム１０の側面上端とを、及び、転倒防止用フレーム１０の下端接地部の接地片とをそれぞれ溶接、ビス止め等の取付手段により取付ける場合には、投票記載台１の脚支柱２と転倒防止用フレーム１０とのなす角度が略３０度となる角度に取付け、また、転倒防止用フレーム１０の床面に接地する下端接地部は、投票記載台１の脚支柱２に取付けた転倒防止用フレーム１０と床面とのなす角度が略６０度となる角度に取付け、床面に設置された投票記載台１の脚支柱２と、床面と、転倒防止用フレーム１０とが直角三角形となるように取付けると良い。
【００３０】
次に、本願発明の断面コ字状の転倒防止用フレーム１０を用いた投票記載台の転倒防止装置の使用について説明する。自治体の選挙管理委員会が、倉庫などで折畳まれて保管格納されていた投票記載台を選挙の投票所として借用した教室や体育館に投票記載台一式を搬入し、そこで、記載用天板４の下面と、記載用天板４の下面の左右側にヒンジ機構によって設けた左右の脚支柱２、２の横杆３、３との間に設けられている屈折支杆７、７を伸展させて脚支柱２、２を起こす。左右の脚支柱２、２により支承された記載用天板４の上面の左右縁にヒンジ機構によって設けられた側板６、６、該両側板６、６間に適宜間隔で記載用天板４の上面に設けられた所要数の仕切り板とを引き起こし、更に、記載用天板４の上面後縁にヒンジ機構によって設けられた背板５を引き起こす。
【００３１】
そして、この立設した両側板６、６と仕切り板にピン８、８によって設けた鉤部材９、９、９、９で背板５の上縁を係止して背板５を立設して投票記載台１を所要数個組み立てる。この組み立てられた投票記載台１を教室の中央部や体育館の中央部に設置し、各投票記載台１の後ろ側に位置する左右の脚支柱２、２の上方を転倒防止用フレーム１０の断面略コ字状で脚柱固定金具１２の開口側に嵌め、脚柱固定金具１２の基部壁のノブ１３を回動してネジ部１６を押し込み、ネジ部１６の先端に設けた押さえ部１７と脚柱固定金具１２の先端壁とで脚支柱２を挟押圧し、転倒防止用フレーム１０を投票記載台１の脚支柱２に取付ける。
【００３２】
この転倒防止用フレーム１０を投票記載台１の脚支柱２に取付ける際の転倒防止用フレーム１０の上端部の脚支柱２への取付け位置は、転倒防止用フレーム１０の下端部が床面と接地した際に、投票記載台１の脚支柱２と転倒防止用フレーム１０との取付け角度が３０度で、床面と転倒防止用フレーム１０との角度が６０度となるように取付ける。床面に接地する転倒防止用フレーム１０の下端接地部には、防滑・防傷シート１１が貼着されているので、転倒防止用フレーム１０の下端接地部の接地片が支承する床面にキズを付ける恐れはなく、また、滑ることなく確実に投票記載台１を支承することができる。
【実施例２】
【００３３】
次に、本発明の第２実施例である投票記載台の転倒防止装置を図７〜図１０によって説明する。投票記載台１の投票記載台１の後ろ側に位置する左右の脚支柱２、２に取付ける転倒防止部材２４は、断面コ字状の転倒防止用上フレーム２５の一端と該転倒防止用上フレーム２５の断面コ字状とが互いに向かい合うように一端がピン２７で枢支された転倒防止用下フレーム２６とで構成されている。転倒防止用上フレーム２５の他端には、上記した第１実施例である投票記載台の転倒防止装置と同じ構成の脚柱固定金具１２が取付けられている。
【００３４】
一方、断面コ字状の転倒防止用下フレーム２６は、フレームの開口溝を転倒防止用上フレーム２５側に向けて転倒防止用上フレーム２５の一端に枢支されており、転倒防止用下フレーム２６の他端には、後壁２９が形成されており、この後壁２９から投票記載台１の脚支柱２が若干の余裕を持って嵌め込むことができる間隔でＬ字状の脚位置決め金具２８が、断面コ字状の転倒防止用下フレーム２６の開口溝内に固定されている。また、転倒防止用下フレーム２６の下面側には、防滑・防傷シート１１が貼着されている。
【００３５】
次に、本願発明の第２実施例である投票記載台の転倒防止装置の使用について説明する。折り畳まれている転倒防止部材２４を展開して教室の中央部や体育館の中央部の床面に置くと共に、組み立てられて教室の中央部や体育館の中央部に設置された投票記載台１を、展開して床面に置かれた転倒防止部材２４の転倒防止用下フレーム２６の開口溝内に嵌め込む。この時、投票記載台１の前方の脚支柱２を転倒防止用下フレーム２６の後壁２９と脚位置決め金具２８との間に嵌め込み、投票記載台１の後方の脚支柱２は転倒防止用下フレーム２６の開口溝内に置く。
【００３６】
そして、転倒防止用上フレーム２５を持上げ、該転倒防止用上フレーム２５の他端に取付けられた脚柱固定金具１２の断面略コ字状の開口溝内に投票記載台１の後ろ側に位置する脚支柱２を嵌め、脚柱固定金具１２の基部壁のノブ１３を回動してネジ部１６を押し込み、ネジ部１６の先端に設けた押さえ部１７と脚柱固定金具１２の先端壁とで脚支柱２を挟押圧し、転倒防止用上フレーム２５の他端に取付けられた脚柱固定金具１２を投票記載台１の脚支柱２に取付ける。
【００３７】
また、この転倒防止部材２４を投票記載台１の脚支柱２に取付ける際の転倒防止部材２４の上端部の脚支柱２への取付け位置は、転倒防止部材２４の下端部が床面と接地した際に、投票記載台１の脚支柱２と転倒防止部材２４との取付け角度が３０度で、床面と転倒防止部材２４との角度が６０度となるように取付ける。この転倒防止部材２４は、互いに一端が枢支されているので投票記載台１の脚支柱２への取付けも、展開した転倒防止用下フレーム２６の開口溝内に投票記載台１の後方の脚支柱２と前方の脚支柱２を嵌込んで載せるだけの操作で良く、また、転倒防止部材２４の保管・収納時には、枢支部で折り畳むことにより保管嵩を小さくすることができる。床面に接地する転倒防止用下フレーム２６の下面側には、防滑・防傷シート１１が貼着されているので、転倒防止部材２４の下端接地部が支承する際に床面にキズを付ける恐れはなく、また、滑ることなく確実に投票記載台１を支承することができる。また、投票記載台１の後方の脚支柱２の下端は転倒防止用下フレーム２６の開口溝の後壁２９と脚位置決め金具２８との間に嵌め込まれているので、転倒防止用下フレーム２６の開口溝内を動くことなく位置決めすることができ、投票記載台１はグラ付くことなく安定して設置することができる。
【実施例３】
【００３８】
次に、本願発明の第３実施例である投票記載台の転倒防止装置を図１１によって説明する。前記本願発明の第２実施例である投票記載台の転倒防止装置と同様に、投票記載台１の投票記載台１の後ろ側に位置する左右の脚支柱２、２に取付ける転倒防止部材２４は、断面コ字状の転倒防止用上フレーム２５の一端と該転倒防止用上フレーム２５の断面コ字状とが互いに向かい合うように一端がピン２７で枢支された転倒防止用下フレーム２６とで構成されている。転倒防止用上フレーム２５の他端には、上記した第１実施例である投票記載台の転倒防止装置と同じ構成の脚柱固定金具１２が取付けられている。
【００３９】
一方、断面コ字状の転倒防止用下フレーム２６は、転倒防止用下フレーム２６の開口溝を転倒防止用上フレーム２５の開口溝側に向けて転倒防止用上フレーム２５の一端に枢支されており、転倒防止用下フレーム２６の他端には、ネジ孔を形成した後壁２９が形成されており、このネジ孔に後端にノブ３１が、前端にゴム製または合成樹脂製の押さえ部３０を有するネジから成る挟押圧具が螺合されている。この後壁２９から投票記載台１の前方に位置する脚支柱２の下端を若干の余裕を持って嵌め込むことができる間隔でＬ字状の脚位置決め金具２８が、断面コ字状の転倒防止用下フレーム２６の開口溝内に固定されている。また、転倒防止用下フレーム２６の下面側には、防滑・防傷シート１１が貼着されている。また、断面コ字状の転倒防止用下フレーム２６の後壁２９とＬ字状の脚位置決め金具２８との間の断面コ字状の転倒防止用下フレーム２６のいずれか一方の側壁にネジ孔を形成し、このネジ孔に挟押圧具を螺合する。
【００４０】
次に、本願発明の第３実施例である投票記載台の転倒防止装置の使用について説明する。折り畳まれている転倒防止部材２４を展開して教室の中央部や体育館の中央部の床面に置くと共に、組み立てられて教室の中央部や体育館の中央部に設置された投票記載台１を、展開して床面に置かれた転倒防止部材２４の転倒防止用下フレーム２６の開口溝内に嵌め込む。この時、投票記載台１の前方の脚支柱２を転倒防止用下フレーム２６の後壁２９と脚位置決め金具２８との間に嵌め込み、後壁２９に設けた挟押圧具のネジのノブ３１を回動することにより該ネジの前端に設けたゴム製または合成樹脂製の押さえ部３０を螺入させて、この後壁２９とＬ字状の脚位置決め金具２８との間に嵌め込まれた投票記載台１の前方の脚支柱２の下端を挟押圧して動かないように固定する。
【００４１】
そして、転倒防止用上フレーム２５を持上げ、該転倒防止用上フレーム２５の他端に取付けられた脚柱固定金具１２の断面略コ字状の開口に後方に位置する脚支柱２を嵌め、脚柱固定金具１２の基部壁のノブ１３を回動してネジ部１６を押し込み、ネジ部１６の先端に設けた押さえ部１７と脚柱固定金具１２の先端壁とで投票記載台１の後方の脚支柱２を挟押圧し、転倒防止用上フレーム２５の他端に取付けられた脚柱固定金具１２を投票記載台１の後方の脚支柱２に取付ける。
【００４２】
この転倒防止部材２４を投票記載台１の後方の脚支柱２に取付ける際の転倒防止部材２４の後方の脚支柱２の上端部への取付け位置は、転倒防止部材２４の下端部が床面と接地した際に、投票記載台１の脚支柱２と転倒防止部材２４との取付け角度が３０度で、床面と転倒防止部材２４との角度が６０度となるように取付けるのが望ましい。床面に接地する転倒防止用下フレーム２６の下面側には、防滑・防傷シート１１が貼着されているので、転倒防止部材２４の下端接地部が支承する際に床面にキズを付ける恐れはなく、また、滑ることなく確実に投票記載台１を支承することができる。また、投票記載台１の前方の脚支柱２の下端は転倒防止用下フレーム２６の開口溝の後壁２９と脚位置決め金具２８との間に嵌込まれ、転倒防止用下フレームの後壁に設けた挟押圧具で挟押圧されるので、転倒防止用下フレーム２６の開口溝内を動くことなく位置決めすることができ、例え、投票記載台１で記載の際に、投票記載台１に後方に押すような力が作用しても、投票記載台１の前方の脚支柱２の下端の持ち上がりを防止し投票記載台１はグラ付くことなく安定して設置することができる。
【００４３】
なお、断面コ字状の転倒防止用下フレーム２６の後壁２９とＬ字状の脚位置決め金具２８との間の断面コ字状の転倒防止用下フレーム２６のいずれか一方の側壁にもうけた挟押圧具により投票記載台１の前方に位置する脚支柱２の下端を固定することができる。また、断面コ字状の転倒防止用下フレーム２６の後壁２９とＬ字状の脚位置決め金具２８との間の断面コ字状の転倒防止用下フレーム２６の両側壁又は一方の側壁にピン孔を設けると共に、投票記載台１の前方の脚支柱２の下端部側壁にピン孔を設け、これらピン孔間に固定ピンを挿入して投票記載台１の前方の脚支柱２の下端の持ち上がりを防止しても良い。
【図面の簡単な説明】
【００４４】
【図１】本発明の第１実施例である投票記載台の転倒防止装置を付した投票記載台の側面図である。
【図２】本発明の第１実施例である投票記載台の転倒防止装置を付した投票記載台の部分後面図である。
【図３】本発明の投票記載台の転倒防止装置の脚柱固定金具の平面図である。
【図４】本発明の投票記載台の変形例の転倒防止装置の脚柱固定金具の平面図である。
【図５】本発明の投票記載台の他の変形例の転倒防止装置の脚柱固定金具の平面図である。
【図６】本発明の投票記載台の転倒防止装置の脚柱固定金具の斜視図である。
【図７】本発明の第２実施例である投票記載台の転倒防止装置を付した投票記載台の側面図である。
【図８】本発明の第２実施例である投票記載台の転倒防止装置の使用時の側面図である。
【図９】本発明の第２実施例である投票記載台の転倒防止装置の折畳み収納時の側面図である。
【図１０】本発明の第２実施例である投票記載台の転倒防止装置の転倒防止用下フレームの部分斜視図である。
【図１１】本発明の第３実施例である投票記載台の転倒防止装置の転倒防止用下フレームの部分斜視図である。
【図１２】投票記載台の全体の斜視図である。
【図１３】従来公知の家具を示す模式的な正面図である。
【図１４】従来公知の家具の床固定装置の家具に適用する前の状態を示す斜視図である。
【図１５】図１４の使用の態様を示す斜視図である。
【符号の説明】
【００４５】
１  投票記載台、  ２  脚支柱、  ３  横杆、  ４  記載用天板、  ５  背板、
６  仕切り板、  ７  屈折支杆、  ８  ピン軸、  ９  鉤部材、
１０  転倒防止用フレーム、  １１  防滑・防傷シート、  １２  脚柱固定金具、
１３  ノブ、  １４  取付けフランジ、  １５  ピン、  １６  ネジ部、
１７  押さえ部、  １８  四角状脚支柱、  １９  丸状脚支柱、  ２０  突出片、
２１  立上り片、  ２２  ピン孔、  ２３  ネジ孔、
２４  転倒防止部材、  ２５  転倒防止用上フレーム、  ２６  転倒防止用下フレーム、
２７  ピン、  ２８  脚位置決め金具、  ２９  後壁、  ３０  押さえ部、
３１  ノブ。
【図１】
2007301273.tif 000003
【図２】
2007301273.tif 000004
【図３】
2007301273.tif 000005
【図４】
2007301273.tif 000006
【図５】
2007301273.tif 000007
【図６】
2007301273.tif 000008
【図７】
2007301273.tif 000009
【図８】
2007301273.tif 000010
【図９】
2007301273.tif 000011
【図１０】
2007301273.tif 000012
【図１１】
2007301273.tif 000013
【図１２】
2007301273.tif 000014
【図１３】
2007301273.tif 000015
【図１４】
2007301273.tif 000016
【図１５】
2007301273.tif 000017